(57)【要約】【課題】携帯端末の位置に関するプライバシーを保護しながらも、必要な場合には手間をかけずに自身の位置を連絡することができる位置自動連絡機能付携帯端末を提供することである。【解決手段】自機の位置情報を他の携帯端末に対して公開可能である携帯端末において、予め登録してある情報と受信メールに含まれる情報との照合を行い、該照合結果に基づいて前記位置情報の公開の可否を制御する。
2008114785.tif 000002
【特許請求の範囲】
【請求項１】
自機の位置情報を他の携帯端末に対して公開可能である携帯端末において、
予め登録してある情報と受信メールに含まれる情報との照合を行い、該照合結果に基づいて前記位置情報の公開の可否を制御することを特徴とする位置自動連絡機能付携帯端末。
【請求項２】
予め登録してある情報と受信メールに含まれる情報との照合を行い、該照合の結果、該情報が合致した場合に前記位置情報の公開を可とすることを特徴とする請求項１に記載の位置自動連絡機能付携帯端末。
【請求項３】
予め登録してある情報と受信メールに含まれる情報との照合を行い、該照合の結果、該情報が合致し、且つ予め登録したサービス時間内である場合に前記位置情報の公開を可とすることを特徴とする請求項１に記載の位置自動連絡機能付携帯端末。
【請求項４】
自機の位置情報を他の携帯端末に対して公開可能である携帯端末において、
予め登録してある情報と受信メールに含まれる情報との照合を行い、該照合結果に基づいて、予め登録してある返信メールを送信することを特徴とする位置自動連絡機能付携帯端末。
【請求項５】
予め登録してある情報と受信メールに含まれる情報との照合を行い、該照合の結果、該情報が合致した場合に、前記返信メールを送信することを特徴とする請求項４に記載の位置自動連絡機能付携帯端末。
【請求項６】
予め登録してある情報と受信メールに含まれる情報との照合を行い、該照合の結果、該情報が合致し、且つ予め登録したサービス時間内である場合に、前記返信メールを送信することを特徴とする請求項４に記載の位置自動連絡機能付携帯端末。
【請求項７】
前記照合に用いる情報が、少なくとも、前記受信メールのメールアドレス、該受信メール内にて使用される特定の文字であることを特徴とする請求項１ないし６のうちのいずれか１項に記載の位置自動連絡機能付携帯端末。
【発明の詳細な説明】
【技術分野】
【０００１】
本発明は携帯端末に関し、詳しくは、その携帯端末の位置を通信相手に対して連絡する機能を有する位置自動連絡機能付携帯端末に関する。
【背景技術】
【０００２】
従来、携帯電話等の携帯端末の普及は目覚しく、この携帯端末はユーザの生活上の便利なツールとして役立っている。【０００３】
たとえば、ＢがＡに対して迎えに来て欲しい旨を連絡し、Ａは迎えに行けるかどうかを返事するような場合にも利用される。【０００４】
このような場合、迎えを依頼するＢが電車やバス等にて移動中、そして、迎えを依頼されるＡが、徒歩、あるいは自転車、自動車にて移動中の状況下において、ＡはＢからの迎えにきて欲しい旨の電子メール（以下、単に「メール」という）を受信、その際、Ａは迎えにいけるのか、否かをメール、あるいは通話にて返信する必要があった。【０００５】
ところで、電子メールに関する背景技術として、特許文献１には、メール配信システムの加入者とは関係のない相手から送りつけられる迷惑メールの対策として、受信したメールから受信者メールアドレスと受信者メールアドレスに対応するキーとを抽出するキー抽出手段と、キー抽出手段により抽出した受信者メールアドレスとキーの対とを照合する認証手段と、認証手段により照合がとれた場合にはメールを配信する配信制御手段とを備えた発明が開示されている。【０００６】
【特許文献１】特開２００７−２８６６７号公報
【発明の開示】
【発明が解決しようとする課題】
【０００７】
上述のような、携帯端末を用いてメールで迎えの依頼や返事をする場合、以下のような問題があった。【０００８】
たとえば、迎えを依頼したＢが電車やバス等々、公共の交通手段によって移動中の場合、通話不可であることが想定されるため、迎えを依頼されたＡはメールで返信することになるが、迎えを依頼されるたびにこの返信操作が必要となり、煩わしいという問題があった。【０００９】
また、迎えを依頼されたＡが迎えにいく時間を短縮するために、徒歩や自動車、あるいは自転車にて移動中に、その返信操作を行うようだと、交通事故等々の危険を伴ってしまう。【００１０】
また、迎えを依頼されたＡと迎えを依頼したＢが、ある特定の場所、時間で待ち合わせする際、遅れそうなのか、時間通りに来るのか、お互いの移動状況を知るためには、双方がメールにて逐次知らせあう必要があった。【００１１】
そこで、メール以外の方法として、迎えを依頼されたＡの携帯端末Ａの位置情報がＧＰＳ（Ｇｌｏｂａｌ  Ｐｏｓｉｔｉｏｎｉｎｇ  Ｓｙｓｔｅｍ）等々によって取得され、迎えを依頼したＢの携帯端末Ｂに対してその位置情報を公開していれば、そのＢの携帯端末Ｂは、Ａの携帯端末Ａの位置を知ることができ、Ａが待ち合わせ場所に近づいてきているかどうかによって、迎えに来ているのか否かを知ることができる、と考えられる。【００１２】
しかしながら、このような構成を用いた場合には、Ａの携帯端末Ａの位置は、Ａが設定変更等々を実施しない限り、常にＢの携帯端末Ｂに公開されてしまい、プライバシー上の問題があった。【００１３】
このような従来の状況について図５を参照しながらさらに詳しく説明する。【００１４】
図５を参照すると、まずＢが所有している携帯端末ＢからＡが所有している携帯端末Ａに対して、迎えに来て欲しい旨のメールが送信される（Ｓ５０１、Ｓ５０２）。【００１５】
携帯端末Ａは携帯端末Ｂからのメールを受信する（Ｓ５０３）。【００１６】
携帯端末ＡがＧＰＳ（Ｇｌｏｂａｌ  Ｐｏｓｉｔｉｏｎｉｎｇ  Ｓｙｓｔｅｍ）等々によって得られた自身の位置情報を、携帯端末Ｂに対して公開していれば（Ｓ５０４）、携帯端末Ｂは、携帯端末Ａの位置を知ることができる（Ｓ５０５）。【００１７】
但し、携帯端末Ａの位置は、Ａが設定変更等々を実施しない限り、常にＢに公開されてしまう。【００１８】
一方、携帯端末ＡがＧＰＳ等々による位置情報を公開していなければ（Ｓ５０４）、ＡはＢに、迎えにいく旨、メール、あるいは通話にて返信する必要があった（Ｓ５０６、Ｓ５０７）。【００１９】
その際、Ｂが電車やバス等々、公共の交通手段によって移動中の場合、通話不可であることが想定されるため、Ａはメールで返信することになるが、迎えを依頼されるたびにその返信操作が必要となる煩わしさがあった。【００２０】
また、Ａが迎えにいく時間を短縮するために、徒歩や自動車、あるいは自転車にて移動中にその返信操作を行うとすると、交通事故等々の危険を伴ってしまう。【００２１】
なお、上述の特許文献１に記載の発明では、メールサーバにおいて、受信したメールに予め定めたキーが含まれているかによって、配信すべきか否かの判断を行っているが、電子メールに関する背景技術を開示しているに過ぎず、上述の課題を解決するには到っていない。【００２２】
本発明は上記の点にかんがみてなされたもので、携帯端末の位置に関するプライバシーを保護しながらも、必要な場合には手間をかけずに自身の位置を連絡することができる位置自動連絡機能付携帯端末を提供することを目的とする。
【課題を解決するための手段】
【００２３】
上記課題を解決するにあたり、本発明の位置情報自動連絡機能付携帯端末は、ある特定の条件下に限定して、携帯端末の位置を公開するために、対象となる携帯端末のメールアドレス、時間、またメール内容に用いられるある特定の文字を登録できる手段と、それら条件の合致有無に従ってＧＰＳ機能にて位置情報の公開をＯＮ／ＯＦＦする手段と、位置情報をサーバにて相手先の端末に知らせる手段とを有する。【００２４】
すなわち本発明は、自機の位置情報を他の携帯端末に対して公開可能である携帯端末において、予め登録してある情報と受信メールに含まれる情報との照合を行い、該照合結果に基づいて前記位置情報の公開の可否を制御することを特徴とする。【００２５】
また本発明は、予め登録してある情報と受信メールに含まれる情報との照合を行い、該照合の結果、該情報が合致した場合に前記位置情報の公開を可とすることを特徴とする。【００２６】
また本発明は、予め登録してある情報と受信メールに含まれる情報との照合を行い、該照合の結果、該情報が合致し、且つ予め登録したサービス時間内である場合に前記位置情報の公開を可とすることを特徴とする。【００２７】
また本発明は、自機の位置情報を他の携帯端末に対して公開可能である携帯端末において、予め登録してある情報と受信メールに含まれる情報との照合を行い、該照合結果に基づいて、予め登録してある返信メールを送信することを特徴とする。【００２８】
また本発明は、予め登録してある情報と受信メールに含まれる情報との照合を行い、該照合の結果、該情報が合致した場合に、前記返信メールを送信することを特徴とする。【００２９】
また本発明は、予め登録してある情報と受信メールに含まれる情報との照合を行い、該照合の結果、該情報が合致し、且つ予め登録したサービス時間内である場合に、前記返信メールを送信することを特徴とする。【００３０】
また本発明は、前記照合に用いる情報が、少なくとも、前記受信メールのメールアドレス、該受信メール内にて使用される特定の文字であることを特徴とする。
【発明の効果】
【００３１】
本発明によれば、以下に記載するような効果を奏する。【００３２】
本発明による第１の効果は、迎えを依頼されたＡが迎えを依頼したＢを迎えにいく際、なんら携帯端末の操作をすることなく、迎えにいくのか否かをＢに知らせることが可能となることである。【００３３】
また、本発明による第２の効果は、迎えを依頼されたＡが迎えを依頼したＢを迎えにいく際、なんら携帯端末の操作をすることなく、Ａ自身の位置をＢに知らせることが可能となることである。【００３４】
また、本発明による第３の効果は、迎えを依頼されたＡはある特定の時間、相手、メール内容、に合致したときにのみ、Ａ自身の位置情報をある特定の相手のみへ自動的に公開することが可能となることである。【００３５】
また、本発明による第４の効果は、第３の効果に加えて予め返信メールを迎えにいくＡの携帯端末Ａに登録しておくことで、第３の効果で述べた条件に合致すれば、なんら操作することなく返信メールを迎えを要求している迎えを依頼したＢの携帯端末Ｂへ送信することが可能となることである。【００３６】
また、本発明による第５の効果は、上記第１〜４の効果により、迎えを依頼したＢを迎えにいくための時間の短縮が可能となることである。この効果について図２を参照して説明する。【００３７】
図２には時間短縮の効果を示す。【００３８】
図２において、上の図は従来の場合であり、下の図は本発明による場合である。すなわち、２０５は、従来の時間軸であり、２０９は、本発明の位置自動連絡機能付携帯端末を用いた場合の時間軸である。【００３９】
従来は、図２の上の図に示すように、メールを着信（２０１）して、外出支度を完了（２０２）した後に、メールにて連絡するなどの端末を操作する時間（２０３）が必要であり、その後、現地すなわち待ち合わせ場所に到着（２０４）するのは、その分、遅くなってしまう。【００４０】
これに対して、本発明の位置自動連絡機能付携帯端末を用いた場合は、図２の下の図に示すように、メールを着信（２０６）して、外出支度を完了（２０７）した後に、すぐに出かけることができ、現地すなわち待ち合わせ場所に到着（２０４）するのは、その分、早くなる。【００４１】
さらに、本発明による第６の効果は、上記第１〜５の効果により、迎えを依頼したＢの迎えに行くときの時間短縮のために、迎えを依頼されたＡが自動車や自転車、あるいは徒歩で移動しながらＢに対してメールや通話にて迎えにいく旨の返信の端末操作をする必要がなく、危険から回避されることである。【００４２】
また、本発明による第７の効果は、迎えを依頼されたＡおよび迎えを依頼したＢのお互いが約束の時間に約束の場所へ向かう際に、自分の移動状況を、任意に設定した頻度で自動的に相手の携帯端末へ知らせることで、遅れているのか、時間通りに来るのか、相手の状況をお互いに理解できることである。
【図面の簡単な説明】
【００４３】
【図１】本発明の基本構成を示すブロック図である。
【図２】本発明と従来技術との差分を時間軸で示す図である。
【図３】本発明の第１の実施の形態のフローチャートを示す図である。
【図４】本発明の第２の実施の形態のフローチャートを示す図である。
【図５】従来技術のフローチャートを示す図である。
【図６】本発明の設定登録画面一例を示す図である。
【図７】本発明の位置情報表示画面一例を示す図である。
【図８】本発明の第３の実施の形態のフローチャート図を示す図である。
【図９】本発明の第３の実施の形態の動作を時間軸上で示す図である。
【符号の説明】
【００４４】
１０  ユーザ端末
１０１  携帯端末Ｂ
１０２  サーバＡ
１０３  携帯端末Ａ
１０４  アドレス照合部
１０５  時間照合部
１０６  文字照合部
１０７  位置情報設定部
１０８  メモリ部
１０９  ＧＰＳ
１１０  サーバＡ
２０１  メール着信ポイント
２０２  外出支度完了ポイント
２０３  メール返信作業時間
２０４  現地着ポイント
２０５  従来技術の時間軸
２０６  メール着信ポイント
２０７  外出支度完了ポイント
２０８  現地着ポイント
２０９  本発明の時間軸
６０１  携帯端末の登録画面
６０２  登録者名設定部
６０３  有効時間設定部
６０４  頻度設定部
６０５  アドレス設定部
６０６  文字設定部
７０１  携帯端末の位置情報表示画面
７０２  時間表示部
７０３  相手携帯端末の位置表示部
７０４  測位レベル
７０５  地図表示部
７０６  縦スクロールバー部
７０７  相手先携帯端末の位置
７０８  横スクロールバー部
９０１  携帯端末Ａ
９０２  携帯端末Ｂ
９０３  開始時間Ａ
９０４  携帯端末Ａ自身をＧＰＳ測位
９０５  自動的に位置情報をメール送信
９０６  Ａ分毎にＧＰＳ測位＆位置情報メール送信を行う。
９０７  現地着
９０８  ワンキー操作にて到着メールを送信
９０９  Ｘ場所ＸＸ月ＸＸ日ＸＸ時ＸＸ分
【発明を実施するための最良の形態】
【００４５】
以下、本発明の実施の形態について図面を参照して詳細に説明する。【００４６】
まず、図１を参照して、本発明の位置自動連絡機能付携帯端末の基本構成を説明する。【００４７】
図１は、本発明による位置自動連絡機能付携帯端末を用いたシステム構成を示すブロック図である。【００４８】
図１を参照すると、このシステムは、迎えを依頼したＢが所有する携帯端末Ｂ１０１と、携帯端末Ｂ１０１に位置情報やメール等々のサービスを提供するサーバＢ１０２と、本発明による位置自動連絡機能付携帯端末であって迎えを依頼されたＡが所有する携帯端末Ａ１０３と、ＧＰＳ１０９と、携帯端末Ａ１０３に対して位置情報やメール等々のサービスを提供するサーバＡ１１０とを有して構成される。【００４９】
また、携帯端末Ａ１０３は、本発明の動作条件である、メールアドレス、メール受信時間、メール内にて使用されるある特定の文字、が予め登録されているメモリ部１０８と、受信したメールのアドレスとメモリ部１０８に登録されたアドレスとを照合するアドレス照合部１０４と、メールを受信した時間とメモリ部１０８に登録されている動作時間とを照合する時間照合部１０５と、メモリ部１０８に予め登録されているある特定の文字が受信したメール内に含まれているか否かを照合する文字照合部１０６と、携帯端末Ａ１０３の位置をＧＰＳへ知らせるか否かを設定する位置情報設定部１０７とを有して構成される。【００５０】
次に、この実施の形態の動作について説明する。【００５１】
図３は、本発明の一実施の形態による位置自動連絡機能付携帯端末の動作を示すフローチャートである。【００５２】
まず、迎えを依頼されるＡが所有している携帯端末Ａ１０３のメモリ部１０８内には、予め、迎えを依頼するＢが所有する携帯端末Ｂ１０１のメールアドレス、メール内に使用されることが想定されるある特定の文字、サービスを提供する時間であるサービス時間等を登録しておく（Ｓ３０１、Ｓ３０２）。【００５３】
迎えを依頼するＢは、自身が所有する携帯端末Ｂ１０１によって、迎えに来て欲しい旨のメールを携帯端末Ａ１０３に対して送信する（Ｓ３０３）。【００５４】
携帯端末Ａ１０３は、携帯端末Ｂ１０１からのメールを受信する（Ｓ３０４）。【００５５】
携帯端末Ａ１０３は、受信したメールの送信者メールアドレスがステップ（Ｓ３０２）で予め登録していたメールアドレスと合致するか否かを照合する（Ｓ３０５）。【００５６】
否であれば、携帯端末Ａ１０３は自動的には何も動作しない。【００５７】
合致していれば、次に携帯端末Ａ１０３は、メールの受信時間とステップ（Ｓ３０２）で予め登録していたサービス時間とを照合する（Ｓ３０６）。【００５８】
否であれば、携帯端末Ａ１０３は自動的には何も動作しない。【００５９】
登録されたサービス時間内のメール受信であれば、次に携帯端末Ａ１０３は、受信したメール本文内に、ステップ（Ｓ３０２）で予め登録していた文字が含まれているか否かを照合する（Ｓ３０７）。【００６０】
否であれば、携帯端末Ａ１０３は、自動的には何も動作しない。【００６１】
合致していれば、携帯端末Ａ１０３は、ＧＰＳ１０９に測位されることをサーバＡ１１０へ許可する（Ｓ３０８）。【００６２】
次に、携帯端末Ｂ１０１が携帯端末Ａ１０３の位置を要求するならばサーバＢ１０２を介して（Ｓ３０９）、ＧＰＳ１０９にて携帯端末Ａ１０３の位置を測位し（Ｓ３１０）、ＧＰＳ１０９はその測位データをサーバＢ１０２へ送信（Ｓ３１１）し、そしてサーバＢ１０２は携帯端末Ａ１０３の位置情報を携帯端末Ｂ１０１へ送信する（Ｓ３１２）。【００６３】
ステップ（Ｓ３０９）において否であれば、携帯端末Ｂ１０１に対して携帯端末Ａ１０３の位置情報は送信されない。【００６４】
ステップ（Ｓ３１２）にて携帯端末Ａ１０３の位置情報を受け取った携帯端末Ｂ１０１は、携帯端末Ｂ１０１の画面上にて携帯端末Ａ１０３の位置情報を表示する（Ｓ３１３）。【００６５】
引きつづいて、迎えを依頼したＢは、間か得を依頼されたＡに対して再度メールを発信する可能性がある。【００６６】
本発明のサービスは予めステップ（Ｓ３０２）にて設定されたサービス時間内であれば繰り返し有効である（Ｓ３１４）。【００６７】
ステップ（Ｓ３０２）で設定された時間を経過し、時間外となった場合には、携帯端末Ａ１０３はサーバＡ１１０に対して、携帯端末Ａ１０３の位置をＧＰＳ１０９から測位されることを、あるいは携帯端末Ａ１０３の位置情報が携帯端末Ｂ１０１に対して送信されることを禁止する旨、送信する（Ｓ３１５）。そして本サービスは終了する（Ｓ３１６）。【００６８】
図６は、図３のステップ（Ｓ３０２）において、携帯端末Ａ１０３にて予め登録しておく設定画面の一例を示す図である。【００６９】
携帯端末Ａ１０３の設定画面６０１においては、登録名欄６０２が設けられ、複数種類の設定が、異なる登録名で登録可能となっている。ここでは一例として登録１とする。【００７０】
図３のステップ（Ｓ３０２）では、上述のように本発明のサービス可能時間の設定を行うことができ、サービス時間入力欄６０３には、サービス開始時間（Ｆｒｏｍ）およびサービス終了時間（Ｔｏ）を入力することができる。【００７１】
また、リピート欄６０４には、毎日なのか、週一回なのか、あるいは年一回なのかの頻度も登録可能である。【００７２】
そして、アドレス欄６０５には、サービスを許可する相手のメールアドレスを入力する。【００７３】
次に、照合文字欄６０６には、サービスを許可する相手からの、迎えを依頼するメールに含まれると想定される、あるいはその相手と予め決めておいた文字を入力する。【００７４】
携帯端末Ａ１０３は、これらの入力を、図３のステップ（Ｓ３０２）でメモリ部１０８に登録する。【００７５】
たとえば、文字欄６０６に入力されて登録された文字と、迎えを依頼するＢからのメール内容である”帰るね。駅まで迎えに来て。今、自由が丘。そろそろ武蔵小杉につくよ。”とで文字が照合されれば、上述した動作を実施する。【００７６】
照合文字を複数登録し、それらのＯＲでサービスを許可するか、それらのＡＮＤでサービスを許可するかを選択可能にしてもよい。【００７７】
なお、この実施の形態では、携帯端末Ａ１０３の位置情報を携帯端末Ｂ１０１に通知するにあたり、ＧＰＳ１０９にて携帯端末Ａ１０３の位置情報を測位し、ＧＰＳ１０９は、その測位結果をサーバＢ１０２へ送信し、サーバＢ１０２にて測位結果を実際の地理上の位置情報へ変換する。【００７８】
ここでいう測位結果を位置情報へ変換する作業は他の構成で行ってもよく、たとえば、携帯端末Ａ１０３をＧＰＳ１０９で測位、その測位結果がＧＰＳ１０９からサーバＡ１１０経由で携帯端末Ａ１０３に送信され、携帯端末Ａ１０３内にて測位結果を地理上の位置情報へ変換し、その位置情報をサーバＡ１１０へ送信し、サーバＢ１０２経由で携帯端末Ｂ１０１に通知される手段も可能とする。【００７９】
つまり、本発明は、ＧＰＳ１０９での測位結果を位置情報へ変換する作業の場所を制限するものではない。またＧＰＳ１０９での測位結果、あるいは測位結果より変換された位置情報の取り扱いルートを制限するものではない。【００８０】
図７は、携帯端末Ｂ１０１に表示される、携帯端末Ａ１０３の位置を示す位置情報表示画面の一例を示す図である。【００８１】
携帯端末Ｂ１０１の表示画面７０１において、時間表示欄７０２には、現在表示している位置情報を受信した時間が表示され、住所表示欄７０３には、現在表示している位置情報による携帯端末Ａ１０３の現在位置の住所を表示し、測位レベル表示欄７０４には、現在表示している位置情報の測位レベルを表示し、地図表示欄７０５には、現在表示している位置情報による携帯端末Ａの現在位置の付近の地図を表示している。【００８２】
地図表示欄７０５の表示内容は、縦スクロールバー７０６および横スクロールバー７０８によってスクロールさせることができる。また、携帯端末Ａの現在位置は、地図表示欄７０５内の現在位置マーク７０７によって示される。【００８３】
次に、図４を参照しながら、本発明による位置自動連絡機能付携帯端末の第２の実施の形態について説明する。【００８４】
図４は、本発明の第２の実施の形態による位置自動連絡機能付携帯端末の動作を示すフローチャートである。【００８５】
まず、迎えを依頼されるＡが所有している携帯端末Ａ１０３のメモリ部１０８内には、予め、迎えを依頼するＢが所有する携帯端末Ｂ１０１のメールアドレス、メール内に使用されることが想定されるある特定の文字、サービスを提供する時間であるサービス時間、迎えに行く旨が記載されているＢに対する返信メール等を登録しておく（Ｓ４０１、Ｓ４０２）。【００８６】
迎えを依頼するＢは、自身が所有する携帯端末Ｂ１０１によって、迎えに来て欲しい旨のメールを携帯端末Ａ１０３に対して送信する（Ｓ４０３）。【００８７】
携帯端末Ａ１０３は、携帯端末Ｂ１０１からのメールを受信する（Ｓ４０４）。【００８８】
携帯端末Ａ１０３は、受信したメールの送信者メールアドレスがステップ（Ｓ４０２）で予め登録していたメールアドレスと合致するか否かを照合する（Ｓ４０５）。【００８９】
否であれば、携帯端末Ａ１０３は自動的には何も動作しない。【００９０】
合致していれば、次に携帯端末Ａ１０３は、メールの受信時間とステップ（Ｓ４０２）で予め登録していたサービス時間とを照合する（Ｓ４０６）。【００９１】
否であれば、携帯端末Ａ１０３は自動的には何も動作しない。【００９２】
登録されたサービス時間内のメール受信であれば、次に携帯端末Ａ１０３は、受信したメール本文内に、ステップ（Ｓ４０２）で予め登録していた文字が含まれているか否かを照合する（Ｓ４０７）。【００９３】
否であれば、携帯端末Ａ１０３は、自動的には何も動作しない。【００９４】
合致していれば、携帯端末Ａ１０３は、ステップ（Ｓ４０２）で予め登録していた返信メールを携帯端末Ｂ１０１に対して自動的に送信する（Ｓ４０８）。【００９５】
なお、返信メールとしては、約束の場所に到着した旨のメールや、約束した場所付近に到着、諸事情により約束した場所まではたどり着けない旨のメールなどを登録しておき、それらのメールを、それぞれのキー操作一回で自分の位置情報と共に相手へ送信できるようにしてもよい。【００９６】
さらに第３の実施の形態について以下に説明する。【００９７】
この実施の形態は、ＡとＢとが、Ｘ地点にＸＸ月ＸＸ日ＸＸ時ＸＸ分に待ち合わせる際、双方が定期的に自分の位置情報を相手にメールで知らせることによって、待ち合わせに至る状況を確認できるサービスである。この場合、Ａが所有する携帯端末Ａ１０３およびＢが所有する携帯端末Ｂ１０１の両方が同様の機能を有する。【００９８】
この第３の実施の携帯について図８を参照しながら説明する。【００９９】
図８は、本発明の第３の実施の形態による位置自動連絡機能付携帯端末の動作を示すフローチャートである。【０１００】
携帯端末Ａ１０３、携帯端末Ｂ１０１は、各々、相手のメールアドレス、本サービスの開始時間、自らの位置情報をＧＰＳ１０９にて測位、そしてその位置情報を相手の携帯端末へメールにて定期的に送信する定期時間、現地集合場所に到着した際、ワンキー操作にて到着した旨をメールにて知らせる、あるいは、目的地付近に到着したが、駐車場所等々の諸事情により、相手と約束をしていた場所に辿りつけなかった場合を想定したメールを予め用意、これらを双方の携帯端末Ａ１０３、携帯端末Ｂ１０１のメモリ部に登録しておく（Ｓ８０２）。【０１０１】
そしてサービスの開始時間となる。このサービス開始時間は、携帯端末Ａ１０３、携帯端末Ｂ１０１、それぞれ任意の時間であり、双方同時である必要性はない（Ｓ８０３）。【０１０２】
次に、携帯端末Ａ１０３、携帯端末Ｂ１０１、それぞれが自らの位置情報をＧＰＳ１０９にて検出する（Ｓ８０４）。【０１０３】
そして携帯端末Ａ１０３は携帯端末Ｂ１０１に、携帯端末Ｂ１０１は携帯端末Ａ１０３に、ステップ（Ｓ８０２）で予め設定された定期時間毎（Ｓ８０８）に、ステップ（Ｓ８０４）で検出した自らの位置情報をメールにて送信する（Ｓ８０５）。【０１０４】
ステップ（Ｓ８０５）の振る舞いは、予め設定しておいた時間毎に繰り返し行われ、その時間は携帯端末Ａ１０３、携帯端末Ｂ１０１のそれぞれで任意に設定可能である。【０１０５】
その後、予めＡとＢとの間で約束していた集合場所に到着したら（Ｓ８０６）、任意のキー１を操作することで、ステップ（Ｓ８０２）で予め登録しておいた到着した旨が記載されているメールを送信する（Ｓ８０７）。または目的地付近には到着したが諸事情により約束していた場所にたどり着けない場合には、ステップ（Ｓ８０２）で予め登録しておいたその旨が記載されているメールを任意のキー２を操作することで送信する（Ｓ８０７）。【０１０６】
ステップ（Ｓ８０７）を行うことで自らの位置をＧＰＳ１０９にて検出しメールで送信するサービスを終了し、相手からの位置情報が含まれたメールを受信するのみとなる（Ｓ８０９）。【０１０７】
次に、図９を参照しながら、時間軸で説明をする。【０１０８】
図９は、本発明の第３の実施の形態による位置自動連絡機能付携帯端末の動作を示すタイムフローである。【０１０９】
図９において、９０１は携帯端末Ａ１０３での動作を示し、９０２は携帯端末Ｂ１０１での動作を示す。【０１１０】
開始時間Ａ９０３は任意に設定可能であり、開始時間Ｂと同時である必要はない。携帯端末Ａ１０３は自分自身の位置情報をＧＰＳ１０９にて測位し（９０４）、その位置情報をメールにて携帯端末Ｂ１０１へ送信する（９０５）。９０４と９０５の振る舞いは、予め設定しておいた時間毎に繰り返し行われ、その時間は携帯端末Ａ、携帯端末Ｂのそれぞれで任意に設定可能である（９０６）。【０１１１】
そしてＡとＢとの間で予め約束していた場所に到着した際（９０７）、任意のキー１を操作することで、事前に登録していたメールを相手に対して送信する。また、諸事情により目的地付近までしかたどり着けなかった場合には、任意のキー２を操作することで、事前に登録していたその旨が記載されているメールを相手に対して送信する（９０８）。９０９は、予めＡとＢ間にて約束をしていた場所と時間を指す。【０１１２】
なお、本発明は、予め登録した時間から、任意の頻度で自らの位置情報をＧＰＳ等々にて測位し、その位置情報を任意の相手にメールにて送信し続けるように構成してもよい。
【図１】
2008114785.tif 000003
【図２】
2008114785.tif 000004
【図３】
2008114785.tif 000005
【図４】
2008114785.tif 000006
【図５】
2008114785.tif 000007
【図６】
2008114785.tif 000008
【図７】
2008114785.tif 000009
【図８】
2008114785.tif 000010
【図９】
2008114785.tif 000011
【国際調査報告】
2008114785.tif 000012
2008114785.tif 000013
2008114785.tif 000014
2008114785.tif 000015